(57)【要約】      （修正有）【課題】柄を伸縮させる動作を円滑に行え、使い勝手を向上させた回転型モップを提供する。【解決手段】柄は、下端部に払拭具を取付けた下側中空パイプと、内側で下側中空パイプを上下摺動自在かつ回動自在に収容した上側中空パイプとを有する。下側中空パイプは、キャップを上端部に取付け、上端部に係止爪片を形成した係止体を中途部に取付ける。上側中空パイプは、中途部に支持体を取付け、支持体に下方に向けて伸延する雄ネジ体を取付け、雄ネジ体に下端部に係止爪片を形成した雌ネジ体を螺着し、雄ネジ体の下端部にストッパーを取付ける。キャップと係止体の貫通孔に雄ネジ体を挿通し、キャップと係止体との間に雌ネジ体を配置し、係止体の上端部に形成した係止爪片と雌ネジ体の下端部に形成した係止爪片とを係止可能とし、キャップと支持体との間に上側中空パイプを上方に向けて付勢するスプリングを設ける。【選択図】図２
0003165321.tif 000002
【実用新案登録請求の範囲】
【請求項１】
伸縮自在の柄の下端部に払拭具を取付け、柄を短縮させることで払拭具を回転させることができる回転型モップにおいて、
柄は、下端部に払拭具を取付けた下側中空パイプと、内側で下側中空パイプを上下摺動自在かつ回動自在に収容した上側中空パイプとを有し、
下側中空パイプは、貫通孔を形成したキャップを上端部に取付けるとともに、貫通孔と上端部に係止爪片を形成した係止体を中途部に取付け、
上側中空パイプは、中途部に支持体を取付け、支持体に下方に向けて伸延する雄ネジ体を取付け、雄ネジ体に下端部に係止爪片を形成した雌ネジ体を螺着するとともに、雄ネジ体の下端部にストッパーを取付け、
下側中空パイプのキャップと係止体の貫通孔に上側中空パイプの雄ネジ体を挿通するとともに、下側中空パイプのキャップと係止体との間に上側中空パイプの雌ネジ体を配置し、下側中空パイプの係止体の上端部に形成した係止爪片と上側中空パイプの雌ネジ体の下端部に形成した係止爪片とを係止可能とし、
下側中空パイプのキャップと上側中空パイプの支持体との間に上側中空パイプを上方に向けて付勢するスプリングを設けたことを特徴とする回転型モップ。
【請求項２】
前記スプリングの上端部を前記支持体の下端部に取付けたことを特徴とする請求項１に記載の回転型モップ。
【請求項３】
前記雄ネジ体とスプリングの螺旋方向を逆向きにしたことを特徴とする請求項１又は請求項２に記載の回転型モップ。
【考案の詳細な説明】
【技術分野】
【０００１】
本考案は、伸縮自在の柄の下端部に払拭具を取付け、柄を短縮させることで払拭具を回転させることができる回転型モップに関するものである。
【背景技術】
【０００２】
従来より、たとえば、特許文献１に開示されているように、伸縮自在の柄の下端部に払拭具を取付け、柄を短縮させることで払拭具を回転させることができる回転型モップが開発されている。
【０００３】
そして、回転型モップでは、柄を短縮させる動作と伸長させる動作とを交互に繰り返し行うことで、払拭具を回転させるようにしており、払拭具を床面に載置した状態で払拭具を回転させることで床面の清掃を行ったり、或いは、払拭具をバケツの内部で水に浸した状態で払拭具を回転させることで払拭具の洗浄を行ったりしている。
【先行技術文献】
【特許文献】
【０００４】
【特許文献１】実用新案登録第３１５８４７４号公報
【考案の概要】
【考案が解決しようとする課題】
【０００５】
ところが、上記従来の回転型モップでは、柄を短縮させる動作と伸長させる動作とを交互に繰り返し行うことで、払拭具を連続して回転させて使用しているために、柄を短縮させる動作と伸長させる動作とを円滑に交互に繰り返し行えるようにする必要がある。
【課題を解決するための手段】
【０００６】
そこで、請求項１に係る本考案では、伸縮自在の柄の下端部に払拭具を取付け、柄を短縮させることで払拭具を回転させることができる回転型モップにおいて、柄は、下端部に払拭具を取付けた下側中空パイプと、内側で下側中空パイプを上下摺動自在かつ回動自在に収容した上側中空パイプとを有し、下側中空パイプは、貫通孔を形成したキャップを上端部に取付けるとともに、貫通孔と上端部に係止爪片を形成した係止体を中途部に取付け、上側中空パイプは、中途部に支持体を取付け、支持体に下方に向けて伸延する雄ネジ体を取付け、雄ネジ体に下端部に係止爪片を形成した雌ネジ体を螺着するとともに、雄ネジ体の下端部にストッパーを取付け、下側中空パイプのキャップと係止体の貫通孔に上側中空パイプの雄ネジ体を挿通するとともに、下側中空パイプのキャップと係止体との間に上側中空パイプの雌ネジ体を配置し、下側中空パイプの係止体の上端部に形成した係止爪片と上側中空パイプの雌ネジ体の下端部に形成した係止爪片とを係止可能とし、下側中空パイプのキャップと上側中空パイプの支持体との間に上側中空パイプを上方に向けて付勢するスプリングを設けることにした。
【０００７】
また、請求項２に係る本発明では、前記請求項１に係る本発明において、前記スプリングの上端部を前記支持体の下端部に取付けることにした。
【０００８】
また、請求項３に係る本発明では、前記請求項１又は請求項２に係る本発明において、前記雄ネジ体とスプリングの螺旋方向を逆向きにすることにした。
【考案の効果】
【０００９】
そして、本考案では、以下に記載する効果を奏する。
【００１０】
すなわち、本考案では、伸縮自在の柄の下端部に払拭具を取付け、柄を短縮させることで払拭具を回転させることができる回転型モップにおいて、柄は、下端部に払拭具を取付けた下側中空パイプと、内側で下側中空パイプを上下摺動自在かつ回動自在に収容した上側中空パイプとを有し、下側中空パイプは、貫通孔を形成したキャップを上端部に取付けるとともに、貫通孔と上端部に係止爪片を形成した係止体を中途部に取付け、上側中空パイプは、中途部に支持体を取付け、支持体に下方に向けて伸延する雄ネジ体を取付け、雄ネジ体に下端部に係止爪片を形成した雌ネジ体を螺着するとともに、雄ネジ体の下端部にストッパーを取付け、下側中空パイプのキャップと係止体の貫通孔に上側中空パイプの雄ネジ体を挿通するとともに、下側中空パイプのキャップと係止体との間に上側中空パイプの雌ネジ体を配置し、下側中空パイプの係止体の上端部に形成した係止爪片と上側中空パイプの雌ネジ体の下端部に形成した係止爪片とを係止可能とし、下側中空パイプのキャップと上側中空パイプの支持体との間に上側中空パイプを上方に向けて付勢するスプリングを設けているために、柄を短縮させる動作の直後にスプリングによって柄を伸長させる動作が強制的に開始されることになり、柄を短縮させる動作と伸長させる動作とを円滑に交互に繰り返し行えるようになるので、回転型モップの使い勝手を向上させることができる。
【００１１】
特に、スプリングの上端部を支持体の下端部に取付けた場合には、上側中空パイプの内部でスプリングが固定されることになり、スプリングと雄ネジ体とが干渉して柄の伸縮動作の妨げとなるのを防止することができる。
【００１２】
また、雄ネジ体とスプリングの螺旋方向を逆向きにした場合にも、スプリングと雄ネジ体とが干渉して柄の伸縮動作の妨げとなるのを防止することができる。
【図面の簡単な説明】
【００１３】
【図１】本考案に係る回転型モップを示す全体斜視図。
【図２】同部分拡大断面図。
【図３】同動作説明図。
【考案を実施するための形態】
【００１４】
以下に、本考案に係る回転型モップの具体的な構成について図面を参照しながら説明する。
【００１５】
図１に示すように、回転型モップ１は、伸縮自在の棒状の柄２の下端部に円板状の払拭具３を取付けており、柄２を短縮させることで払拭具３を回転させることができるように構成している。
【００１６】
すなわち、柄２は、図２に示すように、中空円筒状の下側中空パイプ４と上側中空パイプ５とを有しており、下側中空パイプ４の下端部に払拭具３を取付けるとともに、上側中空パイプ５の内側に下側中空パイプ４を上下摺動自在かつ回動自在に収容している。
【００１７】
下側中空パイプ４は、上端部内側にキャップ６を取付けている。このキャップ６には、中央に上下に貫通する貫通孔７を形成している。
【００１８】
また、下側中空パイプ４は、中途部内側に係止体８を取付けている。この係止体８には、中央に上下に貫通する貫通孔９を形成するとともに、貫通孔９の上端縁部に係止爪片10を形成している。
【００１９】
上側中空パイプ５は、中途部内側に支持体11を取付け、支持体11の下端部に下方へ向けて左回りに螺旋状に伸延させた雄ネジ体12の上端部を取付け、雄ネジ体12の下端部に係止体８の貫通孔９よりも大径のストッパー13を取付けている。
【００２０】
また、上側中空パイプ５は、下方へ向けて左回りに螺旋状に伸延させた溝14を形成した雌ネジ体15を雄ネジ体12の中途部に上下回動移動自在に螺着している。この雌ネジ体15は、係止体８の上端部に形成した係止爪片10と係止可能な（嵌合する）係止爪片16を下端部に形成している。
【００２１】
そして、柄２は、下側中空パイプ４のキャップ６と係止体８との間に上側中空パイプ５の雌ネジ体15を位置させた状態で、下側中空パイプ４のキャップ６の貫通孔７と係止体８の貫通孔９に上側中空パイプ５の雄ネジ体12を挿通させている。
【００２２】
また、柄２は、下側中空パイプ４のキャップ６と上側中空パイプ５の支持体11との間にスプリング17を収容している。
【００２３】
このスプリング17は、上端部を上側中空パイプ５の支持体11の下端部に取付けている。また、スプリング17は、下方へ向けて右回りに螺旋状に伸延させた中空形状とし、雄ネジ体12の外側で伸縮するようにしている。
【００２４】
回転型モップ１は、以上に説明したように構成しており、柄２を伸長させた状態（初期状態）では、図３（ａ）に示すように、下側中空パイプ４の係止体８の係止爪片10と上側中空パイプ５の雌ネジ体15の係止爪片16とが嵌合している。
【００２５】
この状態で上側中空パイプ５を下方へ向けて押し下げることで柄２を短縮させると、図３（ｂ）に示すように、雄ネジ体12によって雌ネジ体15が回転させられ、それに伴って、下側中空パイプ４が回転し、下側中空パイプ４の下端に取付けた払拭具３も回転する。
【００２６】
さらに柄２を短縮させると、図３（ｃ）に示すように、スプリング17の下端部が下側中空パイプ４のキャップ６の上端部に当接し、キャップ６と支持体11との間でスプリング17が縮められる。これにより、スプリング17は、支持体11を介して上側中空パイプ５を上方に向けて付勢する。
【００２７】
そして、柄２は、図３（ｄ）に示すように、スプリング17の付勢力によって上側中空パイプ５が上方に向けて勢いよく一気に跳ね上げられる。すると、上側中空パイプ５とともに雄ネジ体12及び雌ネジ体15が上方に移動し、これにより、係止体８の係止爪片10と雌ネジ体15の係止爪片16との係止が解除され、下側中空パイプ４に対して上側中空パイプ５だけが一気に上方に移動して、柄２が伸長する。
【００２８】
以上に説明したように、上記回転型モップ１は、伸縮自在の柄２の下端部に払拭具３を取付け、柄２を短縮させることで払拭具３を回転させることができるように構成しており、柄２は、下端部に払拭具３を取付けた下側中空パイプ４と、内側で下側中空パイプ４を上下摺動自在かつ回動自在に収容した上側中空パイプ５とを有し、下側中空パイプ４は、貫通孔７を形成したキャップ６を上端部に取付けるとともに、貫通孔９と上端部に係止爪片10を形成した係止体８を中途部に取付け、上側中空パイプ５は、中途部に支持体11を取付け、支持体11に下方に向けて伸延する雄ネジ体12を取付け、雄ネジ体12に下端部に係止爪片16を形成した雌ネジ体15を螺着するとともに、雄ネジ体12の下端部にストッパー13を取付け、下側中空パイプ４のキャップ６と係止体８の貫通孔7,9に上側中空パイプ５の雄ネジ体12を挿通するとともに、下側中空パイプ４のキャップ６と係止体８との間に上側中空パイプ５の雌ネジ体15を配置し、下側中空パイプ４の係止体８の上端部に形成した係止爪片10と上側中空パイプ５の雌ネジ体15の下端部に形成した係止爪片16とを係止可能とし、下側中空パイプ４のキャップ６と上側中空パイプ５の支持体11との間に上側中空パイプ５を上方に向けて付勢するスプリング17を設けた構成となっている。
【００２９】
そのため、上記構成の回転型モップ１では、柄２を短縮させる動作の直後にスプリング17によって柄２を伸長させる動作が強制的に開始されることになり、柄２を短縮させる動作と伸長させる動作とを円滑に交互に繰り返し行えるようになるので、回転型モップ１の使い勝手を向上させることができる。
【００３０】
また、上記回転型モップ１は、スプリング17の上端部を支持体11の下端部に取付けた構成となっている。
【００３１】
そのため、上記構成の回転型モップ１では、上側中空パイプ５の内部でスプリング17が固定されることになり、スプリング17と雄ネジ体12とが干渉して柄２の伸縮動作の妨げとなるのを防止することができる。
【００３２】
また、上記回転型モップ１は、雄ネジ体12とスプリング17の螺旋方向が逆向きになるように構成している。
【００３３】
これによっても、上記構成の回転型モップ１では、スプリング17と雄ネジ体12とが干渉して柄２の伸縮動作の妨げとなるのを防止することができる。
【符号の説明】
【００３４】
１  回転型モップ                          ２  柄
３  払拭具                                ４  下側中空パイプ
５  上側中空パイプ                        ６  キャップ
７  貫通孔                                ８  係止体
９  貫通孔                                10  係止爪片
11  支持体                                12  雄ネジ体
13  ストッパー                            14  溝
15  雌ネジ体                              16  係止爪片
17  スプリング
【図１】
0003165321.tif 000003
【図２】
0003165321.tif 000004
【図３】
0003165321.tif 000005